(57)【特許請求の範囲】
【請求項１】
トラフに取付けたゲートを水平軸周りに回転させ水面下に沈下させてその水面に浮上しているスカムをそのトラフ内に流入させるようにしたスカム除去装置において、
幅方向一端が前記トラフに固着され、幅方向他端が前記ゲートに固着されて、前記トラフと前記ゲートの間を密閉する帯状の可撓性の接続部材と、前記ゲートの長手方向に間隔をおいて配設され、一端が前記トラフに固着され、他端が前記ゲートに固着された複数個のヒンジ部材とからなる回転支持機構を設けて、
前記ゲートを前記ヒンジ部材の中心軸を中心に揺動可能に支持したことを特徴とするスカム除去装置。
【発明の詳細な説明】
【０００１】
【発明の属する技術分野】
本発明は、下水処理場等の沈殿池に設けられるスカム除去装置に係り、特に、ゲートを揺動自在に取り付けたトラフを用いるものに関する。
【０００２】
【従来の技術】
図２は、下水処理場等の沈殿池に設けられる従来のスカム除去装置の縦断面図であって、スカムの移動方向（図２の矢印(丸１)参照）に平行な垂直面に沿って切断して示されている。
【０００３】
トラフ１は、沈殿池ａの水面付近に設けられていて、スカムＳがスクレーパｂで掻寄せられてきたときにゲート２を図２の矢印(丸２)で示されるように水平軸周りに回転させて水面下に沈下させて、スカムＳをトラフ１に流入させるように構成されている。
【０００４】
このゲート２は、その下端部がトラフ１に、合成ゴムあるいは天然ゴム等からなるシート状の可撓性の接続部材３で接続されている。したがって、ゲート２は、ゲート２の上端側に設けられている取付部２ａに取付けた操作棒（図示せず）を図示しない駆動機構で駆動することにより、接続部材３を中心にして、図２の実線で示される閉鎖位置と二点鎖線で示される開放位置との間を回転して開閉することができる。
【０００５】
図３は、上記図２に示されるトラフ１を左側上方から見たときの一方の端部（図示の例では右側の端部）の拡大斜視図であって、接続部材３は、この図３から明らかなように、トラフ１の左右両側からの水の流入を防止するための側面部３ａを有している。なお、図示しないが、この側面部３ａは、トラフ１及びゲート２を接続する接続部材３と一体的に形成されている。
【０００６】
図３中、４ａ，４ｂは、側面部３ａをトラフ１及びゲート２にそれぞれ取付けるための当板である。すなわち、接続部材３の側面部３ａは、これら当板４ａ及び４ｂとトラフ１及びゲート２間にそれぞれ介在させた状態でボルト・ナットＢにより取付けられている。また、側面部３ａ以外の接続部材３も当板を用いてトラフ１及びゲート２にそれぞれ取付けられているが、ここでは省略されている。
【０００７】
【発明が解決しようとする課題】
しかしながら、上記従来のスカム除去装置において、開閉するゲートは、トラフとゲートとを接続する可撓性の接続部材を中心にして回転されるので、ゲートの支点が変動し易く、開けられたゲートの上端の水面に対する位置を一定の位置に保持することが困難であった。
【０００８】
特に、接続部材はゴム製であるので、水位変動によるゲートの浮力の変化、又は接続部材に加わる水圧変化、さらには、接続部材の経年変化（劣化）により、また、環境温度の変化によりゲートの保持力が変化しやすいので、ゲートの支点が変動しやすいという性質を有している。加えて、ゲートの重量がゴム製の接続部材に加わるため、その接続部材が損傷を受けやすいという不都合があった。
【０００９】
そこで、本発明は、上記欠点を解決するためになされたものであって、その目的は、低コストでゲートの支点を常時一定に保持できるとともに、耐久性にも富むようにしたスカム除去装置を提供することにある。
【００１０】
【課題を解決するための手段】
本発明は、上記目的を達成するために、トラフに取付けたゲートを水平軸周りに回転させ水面下に沈下させてその水面に浮上しているスカムをそのトラフ内に流入させるようにしたスカム除去装置において、幅方向一端が前記トラフに固着され、幅方向他端が前記ゲートに固着されて、前記トラフと前記ゲートの間を密閉する帯状の可撓性の接続部材と、前記ゲートの長手方向に間隔をおいて配設され、一端が前記トラフに固着され、他端が前記ゲートに固着された複数個のヒンジ部材とからなる回転支持機構を設けて、前記ゲートを前記ヒンジ部材の中心軸を中心に揺動可能に支持したことを特徴としている。
【００１１】
【発明の実施の形態】
以下、本発明の実施の形態を図面に基づいて説明する。なお、上記図２及び図３と同一構成要素には同一符号を付して説明する。
【００１２】
図１（ａ）は、下水処理場等の沈殿池ａに設けられている一実施の形態に係るスカム除去装置のトラフの縦断面図、同図（ｂ）は、同図（ａ）を矢印イ方向から見た一部の拡大図である。
【００１３】
トラフ１は、上記図２に示されたものと同様に、沈殿池ａの水面付近に設けられていて、図示しないスクレーパでスカムが掻寄せられてきたときに、ゲート２を回転して矢印( 丸１)で示されるように水面下に沈下するように開け、トラフ１内にスカムを流入させる ように構成されている。
【００１４】
このゲート２は、上記図２と同様に、下端部がトラフ１と合成ゴムあるいは天然ゴム等からなるシート状の可撓性の接続部材３で接続されているとともに、図示しないが、ゲート２の両側端とトラフの間が上記図３と同様の接続部材３の側面部で接続されて、遮蔽されている。したがって、接続部材３及び図示しない側面部により、ゲート２が図１（ａ）の実線位置にあるときは、トラフ１内への水の流入が阻止される。
【００１５】
ヒンジ部材１０，１０…は、前記接続部材３とともに本発明の回転支持機構を構成するものであり、ゲート２の長手方向に所定の間隔を保って複数個配設されている。各ヒンジ部材１０は、一端部がトラフ１に固着され、他端部がゲート２に固着されていて、ヒンジ部材の中心軸を回転中心としてゲート２を図１（ａ）の実線で示されている閉鎖位置から二点鎖線で示される開放位置まで回転させることができる。したがって、ゲート２は、ゲート２の上端側に設けられている取付部２ａに取付けた操作棒（図示せず）を図示しない駆動機構で駆動することにより、ヒンジ部材１０の中心軸を不動の中心として、すなわち、支点を常に一定に保って揺動することができる（図１の実線で示される位置及び二点鎖線で示される位置参照）。
【００１６】
上述のように、ゲート２が、常時、固定された回転中心位置で回動できるようになると、水面に対するゲート２の先端位置が一定となり、スカムをトラフ１内に効率よく受入れることが可能となる。
【００１７】
なお、上述の例では、接続部材３をゲートに対してトラフ１内側、ヒンジ部材１０をゲートに対して沈殿池ａ側に設けたが、ヒンジ部材１０をトラフ１内側に設け、接続部材３を沈殿池ａ側に設けてもよい。さらには、接続部材３を沈殿池ａ内側に設けるとともに、その接続部材３を覆うようにヒンジ部材１０を設けるようにしてもよい。
【００１８】
【発明の効果】
本発明に係るスカム除去装置においては、幅方向一端がトラフに固着され、幅方向他端がゲートに固着されて、トラフとゲートの間を密閉する帯状の可撓性の接続部材と、ゲートの長手方向に間隔をおいて配設され、一端がトラフに固着され、他端がゲートに固着された複数個のヒンジ部材とからなる回転支持機構を設けて、ゲートをヒンジ部材の中心軸を中心に揺動可能に支持したので、低コストでゲートの支点を常時一定に保持できる。従って、スカム流入の効率を維持できる。
【図面の簡単な説明】
【図１】  （ａ）は、本発明の一実施の形態に係るスカム除去装置のトラフの縦断面図、（ｂ）は、（ａ）をイ方向から見た拡大図である。
【図２】  従来のスカム除去装置を説明するための断面図である。
【図３】  図２に示されるトラフの一方の端部部分の拡大斜視図である。
【符号の説明】
１    トラフ
２    ゲート
３    接続部材
３ａ  側面部
４ａ，４ｂ  当板
１０  ヒンジ部材
Ｂ    ボルト・ナット
【図１】
0004107745.tif 000002
【図２】
0004107745.tif 000003
【図３】
0004107745.tif 000004